(57)【要約】ハニカム構造体のセルを閉塞する方法および装置が開示されている。第１の方法は、ハニカム構造体の端面を、本体、およびあるセルチャンネルの対向するように位置した複数の同じ大きさの開口部を有するマスクで覆い、ここで、本体の外縁が、端面から外方に放射状に延在している。フイルムも端面から外方に延在しており、栓の材料がフイルム上に提供される。マスクとフイルム材料が互いに封止され、フイルムに力が加えられて、材料をマスクに押し通してセルに押し入れる。また、マスクがハニカムの外縁を超えて放射状に延在する外側部分を有するように、マスクをハニカムの第１の端面に付着させ；ある容積の閉塞材料を提供し；第１のクランプ部分と第２のクランプ部分の間で外側部分を締め付け；閉塞材料をハニカム中に移動させる各工程も開示されている。マスクと予備閉塞チャンバとの間で閉塞材料を切断して、その上に実質的に平面の表面を形成する方法および装置も開示されている。
2008524039.tif 000002
【特許請求の範囲】
【請求項１】
ハニカム構造体のセルのサブセットを閉塞する方法であって、
前記ハニカム構造体の第１の端面を、外縁を有する本体およびその中を延在する複数の開口部を含むマスクで被覆する工程であって、前記本体の外縁が前記第１の端面の外縁の少なくとも一部分の外方に延在している工程、
前記第１の端面の外縁の少なくとも一部分の外方に延在する外縁を有するフイルム材料を提供する工程、
前記フイルム材料上に栓の材料を提供する工程、
前記マスクおよび前記フイルム材料を、該マスクの外周部の少なくとも一部分および該フイルム材料の外周部の少なくとも一部分の周りで互いに封止する工程、および
前記フイルム材料に力を印加して、前記栓の材料を前記マスクに通して前記セルのサブセット中に押し込む工程、
を有してなる方法。
【請求項２】
前記マスクの外縁および前記フイルム材料の外縁が、前記第１の端面の外縁全体の周りに外方に延在していることを特徴とする請求項１記載の方法。
【請求項３】
前記封止工程が、前記マスクの外周部全体を前記フイルム材料の外周部全体に封止する工程を含むことを特徴とする請求項１記載の方法。
【請求項４】
前記マスクで被覆する工程が、ポリマー材料から構成されたマスクを提供する工程を含むことを特徴とする請求項１記載の方法。
【請求項５】
前記フイルム材料に力を印加する工程が、該力を該フイルム材料に印加するピストンを提供する工程を含むことを特徴とする請求項１記載の方法。
【請求項６】
前記マスクおよび前記フイルム材料を互いに封止する前に、前記ハニカム構造体を実質的に垂直な位置に位置決めする工程をさらに含むことを特徴とする請求項１記載の方法。
【請求項７】
前記栓の材料を提供する工程が、前記栓の材料を実質的に均一な厚さで提供する工程を含むことを特徴とする請求項１記載の方法。
【請求項８】
前記ハニカム構造体の第２の端面を、外縁を有する本体およびその中を延在する複数の開口部を含む第２のマスクで被覆する工程であって、前記第２のマスクの前記本体の外縁が前記第２の端面の外縁の少なくとも一部分の実質的に外方に延在している工程、
前記第２の端面の外縁の少なくとも一部分の実質的に外方に延在する外縁を有する第２のフイルム材料を提供する工程、
前記第２のフイルム材料上に第２の栓の材料を提供する工程、
前記第２のマスクおよび前記第２のフイルム材料を、該第２のマスクの外周部の少なくとも一部分および該第２のフイルム材料の外周部の少なくとも一部分の周りで互いに封止する工程、および
前記第２のフイルム材料に第２の力を印加して、前記第２の栓の材料を前記第２のマスクに通してセルの第２のサブセット中に押し込む工程、
をさらに含むことを特徴とする請求項１記載の方法。
【請求項９】
前記力をフイルム材料に印加する工程および前記第２の力を第２のフイルム材料に印加する工程が、実質的に同時に完了することを特徴とする請求項８記載の方法。
【請求項１０】
前記栓の材料を提供する工程が、セラミック材料を含む栓の材料を提供する工程を含むことを特徴とする請求項１記載の方法。
【請求項１１】
ハニカム構造体のセルのサブセットを閉塞するための装置であって、
第１のクランプ部分および該第１のクランプ部分に対向した第２のクランプ部分を有するクランプアセンブリであって、両クランプ部分が、前記ハニカム構造体の第１の端面に付着したマスクの外縁および該マスクの外縁に隣接したフイルムの外縁を締め付けるように協働し、該マスクおよび該フイルムが、それらの間に形成されたチャンバ内に収容された閉塞材料を有するものであるクランプアセンブリ、および
前記フイルムと協働し、前記閉塞材料を前記マスクに通して前記セルのサブセット中に押し込むように適合されているピストン、
を備えた装置。
【請求項１２】
ハニカム構造体を閉塞する方法であって、
マスクが前記ハニカム構造体の外縁を半径方向に超えて延在する外周部を有するように、該マスクを該ハニカム構造体の第１の端面に付着させる工程、
ある体積の閉塞材料を提供する工程、
前記マスクの外周部の少なくとも一部分を、第１のクランプ部分および第２のクランプ部分の間に締め付ける工程、および
前記閉塞材料の少なくとも一部を前記ハニカム構造体中に移行させる工程、
を有してなる方法。
【請求項１３】
前記ある体積の閉塞材料の少なくとも一部を収容するための閉塞準備チャンバを提供する工程をさらに含むことを特徴とする請求項１２記載の方法。
【請求項１４】
前記第１のクランプ部分が前記閉塞準備チャンバに隣接して位置していることを特徴とする請求項１３記載の方法。
【請求項１５】
封止を改善するために、前記第２のクランプ部分上の従順面を変形させる工程をさらに含むことを特徴とする請求項１２記載の方法。
【請求項１６】
前記ハニカム構造体をその中に挿入できるように第２のクランプ部分を開く工程をさらに含むことを特徴とする請求項１２記載の方法。
【請求項１７】
前記マスクの外周部の少なくとも一部分を前記第２のクランプ部分に付着させる工程をさらに含むことを特徴とする請求項１２記載の方法。
【請求項１８】
前記ハニカム構造体が、該ハニカム構造体の第２の端面に均一な圧力を印加することによって、移動しないようにされており、該第２の端面が前記第１の端面の反対にあることを特徴とする請求項１２記載の方法。
【請求項１９】
前記移行工程が、前記閉塞材料を前記ハニカム構造体中に押し入れるピストンにより行われることを特徴とする請求項１２記載の方法。
【請求項２０】
前記締め付け工程が、前記閉塞材料の前記ハニカム構造体の側面への流動を防ぐことを特徴とする請求項１２記載の方法。
【請求項２１】
ハニカム構造体を、該ハニカム構造体の端面に付着したマスクを用いて閉塞するための装置であって、
ある体積の閉塞材料、
第１のクランプ部分、および
前記ハニカム構造体の外縁から外方に半径方向に延在する前記マスクの外周部を解放可能に締め付けるための、前記第１のクランプ部分と協働する第２のクランプ部分、
を備えた装置。
【請求項２２】
前記ある体積の閉塞材料が閉塞準備チャンバ内に収容され、前記第１のクランプ部分が該閉塞準備チャンバの外周部の周りに位置する第１の表面であることを特徴とする請求項２１記載の装置。
【請求項２３】
前記第２のクランプ部分が、前記第１の表面にほぼ対向し、それに対して平行な第２の表面を含むことを特徴とする請求項２２記載の装置。
【請求項２４】
前記第２のクランプ部分が、前記ハニカム構造体の外縁よりも半径方向に０．１インチと０．５インチ（２．５４ｍｍと１２．７ｍｍ）の間だけ大きい内周を含むことを特徴とする請求項２１記載の装置。
【請求項２５】
閉塞中に前記ハニカム構造体を支持する補助部材をさらに含むことを特徴とする請求項２１記載の装置。
【請求項２６】
前記補助部材が引っ込められることを特徴とする請求項２５記載の装置。
【請求項２７】
前記第２のクランプ部分がツーピースからなることを特徴とする請求項２１記載の装置。
【請求項２８】
前記第２のクランプ部分が前記ハニカム構造体の周りで閉じるように動作可能であることを特徴とする請求項２７記載の装置。
【請求項２９】
前記ある体積の閉塞材料に対して前記ハニカム構造体を位置決めするための位置決め装置をさらに備えることを特徴とする請求項２１記載の装置。
【請求項３０】
前記第２のクランプ部分が、ポリマー材料の従順面を含むことを特徴とする請求項２１記載の装置。
【請求項３１】
端面にマスクが付着したハニカム構造体を閉塞する方法であって、
前記ハニカム構造体を、閉塞材料のチャンバに隣接して方向付ける工程、
前記閉塞材料の少なくともある程度を前記マスクに通して前記ハニカム構造体中に移行させる工程、および
前記閉塞材料のチャンバの隣接した前記閉塞材料を切断する工程、
を有してなる方法。
【請求項３２】
前記切断工程により、前記チャンバ内に残っている前記閉塞材料上に実質的に平らな表面が形成されることを特徴とする請求項３１記載の方法。
【請求項３３】
前記切断工程が、前記チャンバと前記マスクとの間で行われることを特徴とする請求項３１記載の方法。
【請求項３４】
前記移行工程の後であり、前記切断工程の前に、前記閉塞材料の圧力を解放する工程をさらに含むことを特徴とする請求項３１記載の方法。
【請求項３５】
前記切断工程の前であり、前記移行工程の後に、前記チャンバおよび前記マスクを分離する工程をさらに含むことを特徴とする請求項３１記載の方法。
【請求項３６】
前記切断工程の後に、該切断工程に用いられる切断部材を洗浄する工程をさらに含むことを特徴とする請求項３１記載の方法。
【請求項３７】
前記切断工程が、切断部材を前記閉塞材料に完全に通過させることにより行われることを特徴とする請求項３１記載の方法。
【請求項３８】
前記切断部材を、前記閉塞材料に接触させずに、元の位置に移動させる工程をさらに含むことを特徴とする請求項３７記載の方法。
【請求項３９】
前記切断工程中、前記切断部材が前記チャンバを取り囲む第１の表面に接触していることを特徴とする請求項３１記載の方法。
【請求項４０】
ハニカム構造体を閉塞するための装置であって、
ある体積の閉塞材料、および
前記閉塞材料を切断するように位置決めされた切断部材、
を備えた装置。
【請求項４１】
前記ある体積の閉塞材料が閉塞準備チャンバ内に収容されていることを特徴とする請求項４０記載の装置。
【請求項４２】
前記切断部材がワイヤを含むことを特徴とする請求項４０記載の装置。
【請求項４３】
閉塞中、前記ハニカム構造体の第２の端面に力を印加するための補助部材をさらに備えていることを特徴とする請求項４０記載の装置。
【請求項４４】
前記切断部材がその中に固定される可動性搭載部をさらに備えていることを特徴とする請求項４０記載の装置。
【請求項４５】
前記可動性搭載部に力を印加するように動作可能な第１の作動装置をさらに備えることを特徴とする請求項４４記載の装置。
【請求項４６】
前記切断部材が、閉塞材料の実質的に平らな表面を提供するように動作可能であることを特徴とする請求項４０記載の装置。
【請求項４７】
前記切断部材を洗浄するように動作可能な洗浄部材をさらに備えることを特徴とする請求項４０記載の装置。
【請求項４８】
前記切断部材が、切断中に、前記閉塞準備チャンバを取り囲む第１の表面と接触していることを特徴とする請求項４０記載の方法。
【発明の詳細な説明】
【関連出願】
【０００１】
本出願は、２００４年１２月２１日に出願された、「Flat Patty Plugging of Particulate Filters」と題する米国仮特許出願第６０／６３８２７５号の優先権と恩恵を主張するものである。
【技術分野】
【０００２】
本発明は、ハニカム構造体の選択されたセル中への流動性材料の装填に関し、より詳しくは、セラミックフィルタ体を製造するためのハニカム構造体および他の選択的に封止されたハニカム構造体のセルを選択的にマニホールド形成(manifolding)する、すなわち、閉塞する方法および装置に関する。
【背景技術】
【０００３】
約１０から１００セル以上毎平方センチメートルの横断面のセルラ密度を有するハニカム構造体には、固体粒子状物質フィルタ体および据置型熱交換器を含むいくつかの用途がある。ウォールフロー型粒子状物質フィルタ用途では、構造体の選択されたセルを、それぞれの端部の一方または両方で、マニホールド形成などによって、封止または閉塞する必要がある。「封止」および他の対応する文法的形態、すなわち、封止剤、シーラント、封止するなどの用語は、セルの開いた横断面区域を閉じる多孔質および非多孔質方法を称するためにここに用いられている。
【０００４】
参照番号１０（図１）は概して、一般によく知られており、図示された実例においては円形断面構造が提供されている、外壁１５により囲まれた交差した薄い多孔質壁１４のマトリクスにより形成されたハニカム構造体１０を用いて製造されることが多い固体粒子状物質フィルタ体を表している。壁１４は、第１の端面１８と反対側の第２の端面２０との間に亘り延在しており、これも端面１８，２０の間に延在し、両端で開いているセルチャンネル２２が、多数の隣接する中空通路すなわちフィルタ体１０を形成している。外壁１５（外皮）は、第１の端面１８および第２の端面２０両方の外縁１６を画成している。フィルタ１０（図２および３）を形成するために、各セルチャンネル２２の一端が封止される。このとき、セルチャンネル２２の第１のサブセット２４は、フィルタ１０の第１の端面１８で封止され、セルチャンネル２２の第２のサブセット２６は第２の端面２０で封止される。チャンネル２２の全てが同じサイズである場合、端面１８，２０のいずれを、形成されたフィルタ１０の入口面として用いてもよい。
【０００５】
動作において、汚染された流体（例えば、排気煤などの粒子状物質を含む）が、圧力下で入口面に施され、入口面に開放端を有するセルチャンネルを介してフィルタ１０に入る。これらのセルチャンネルは反対の端面、すなわちフィルタ体の出口面で封止されているので、汚染された流体は、薄い多孔質壁１４に押し通され、入口面で封止され、出口面で開いている隣接するセルチャンネル中に押し入れられる。流体中の固体粒子状物質汚染物質は、大きすぎて壁の多孔質開口部を通過できないので、後に残され、浄化された流体が出口のセルを通ってフィルタ１０から排出される。
【０００６】
そのようなフィルタや熱交換器の大量生産のために、選択されたセルの端部をできるだけ迅速かつ安価に封止できることが非常に望ましい。閉塞の公知の方法は、固体粒子状物質フィルタ体の製造においてハニカム構造体を選択的にマニホールド形成するために、その中を延在する多数の開口部を有するマスクの使用を含む（特許文献１から４に示されているような）。これまで、これらのマスクは一般に、セラミック原料を、メチルセルロースなどの水性結合剤、可塑剤および水と混合することによってペーストに形成された気泡セメントと関連して用いられてきた（例えば、特許文献４参照）。この気泡セメントを使用する場合、ハニカム構造体の両端が、セメントが、セルの端部中にそこを通して押し込まれる孔を有する軟質または硬質のプレートにより覆われる。ある特定の用途において、セメントは、サーボ駆動ピストンに基づく閉塞機械により関連するマスクに押し通され（特許文献３の図１参照）、ここで、その機械は、セメントの装填物を移動させて、セルチャンネル内に要求される栓を形成する。この特定のプロセスには、栓の全体の長さの大きい変動性、フィルタ体に関するマスクのミスアライメント、それによって生じる未閉塞のセル、および塗布前に新しいセメント中に「剥がれ落ちる」乾燥したセメントによる未閉塞セルの形成を含む数多くの欠点がある。このプロセスでは一般に、多数のハニカム構造体を閉塞するために再利用されるシリコンから予備形成されたマスクが用いられる。再利用可能なマスクは、ハニカム構造体間でのばらつきに適応できないので、セルを閉塞するのにはそれほど効果的ではあり得ない。これらの従来のプロセスに用いられる設備も、レーザにより切断されたポリマーマスクには不適合である。何故ならば、これらのレーザにより切断されたマスクは、部品を解放するために関連する閉塞機械が開かれたときに、セメントが充填されたフィルタ体と一緒のままであるからである（特許文献４参照）。シリコンマスクに関する別の問題（特許文献２に示されているような）は、それらのマスクが、フィルタの外縁とアライメントされるような大きさになっており、それによって、セメントがフィルタの外縁に沿って流動し、そこに付着させることである。
【０００７】
マスクは、セルの選択された行と列に亘り、マスキングテープなどの、封止材料が不浸透性の接着性支持軟質ウェブのストリップを施すことによって、ハニカム構造体の開放面で実質的に相互に平行な行および実質的に相互に平行な列の中で、規則的に間隔が置かれているセルをマニホールド形成するために形成されてきた。あるいは、これらのセルは、金属箔などの弾性のある不浸透性の再利用できる材料の間隔の空けられた積重されたストリップのマトリクスを提供し、次いで、下にガスケットが有る無しにかかわらず、互いに接合し、充填すべきセルチャンネルの反対のマトリクスおよびガスケット位置を通る開口部を持つ構造体の開放面上に、適合することによって形成される。相互に平行な列および相互に平行な行に配列されたセルを有するハニカム構造体を提供し、マスキングテープまたは接合された薄い金属ストリップなどの適切な柔軟材料のストリップで、セルの交互の列と交互の行を被覆することによって、開放面に亘り市松模様に配列されたセルのサブセットの半分の開放端が露出される。ストリップの端部を充填した後、ストリップは取り外され、残りの交互の列および残りの交互の行を被覆するようにストリップを施し、それによって、充填のために、端面の市松模様のセルのサブセットの残りの半分の開放端を露出する。
【特許文献１】米国特許第４４１１８５６号明細書
【特許文献２】米国特許第４４２７７２８号明細書
【特許文献３】米国特許第４５５７６８２号明細書
【特許文献４】米国特許第４５５７７７３号明細書
【発明の開示】
【発明が解決しようとする課題】
【０００８】
これらの実施の形態の両方とも、表面の高さのばらつきに対処するのに大きな融通性を提供し、硬質プレートの実施の形態よりも、損傷しているかもしれない端部を含む、充填すべきではないセルの端部を、より良好にマスキングする。しかしながら、両方の実施の形態は一般に、各端面に二度実施しなければならない。このことは、各端面に亘り個別に施さなければならないテープストリップに関して著しい制限であり、これは時間のかかる作業である。第２の実施の形態の再利用できるマトリクスおよびガスケットは、より迅速に施し、取り外せるかもしれないが、硬質プレートの実施の形態と同様に、端面のセルの位置における歪みにはそれほど容易に適合できない。さらに、益々増えるセルラ密度のために、そのような手法は実行不可能になってきた。
【０００９】
さらに、閉塞装置上の閉塞材料の表面におけるばらつきは、基体へと移行され、栓の侵入長さにばらつきが生じ得る。したがって、実質的に平らであり、均一な力で押し入れられて、得られた栓の全てが長さが等しくなる初期表面を有することが好ましい。侵入長さは、封止されたチャンネルを確実に良好に封鎖するのに十分に深いべきであるが、栓の長さが増加すると、多孔質壁の表面積が失われるので、限られていることが望ましい。
【００１０】
既存のセメント組成物およびレオロジーを使用し、レーザにより切断されたポリマーマスクに使用するのに適合しており、栓の長さの変動性を減少し、栓がなくなるのを最小にし、閉塞材料が施されるセルチャンネルからの閉塞材料の溢れをなくす、ディーゼルエンジンのためのセラミック粒子状物質トラップなどの、押出ハニカム構造体をマニホールド形成または閉塞する方法が望ましい。この方法は、非常に再現可能が高く、精度も高く、容易に施され、ハニカム構造体の意図せぬ変形を減らすはずである。
【課題を解決するための手段】
【００１１】
本発明のある態様は、ハニカム構造体のセルのサブセットを閉塞する方法を提供することにある。このハニカム構造体は、その周りに延在する外縁を持つ第１の端面と反対側の第２の端面との間に延在する複数の開放端セルチャンネルを有する。第１の端面は、本体、外縁、およびそこを通って延在する複数の開口部を有するマスクで被覆される。その外縁は、第１の端面の外縁の少なくとも一部分から実質的に外方に延在する。第１の端面の外縁の少なくとも一部分から外方に延在する外縁を有するフイルム材料が提供され、そのフイルム材料の上に材料の栓が提供される。マスクとフイルム材料が、マスクの外周の少なくとも一部分およびフイルム材料の外周の少なくとも一部分の周りに互いに封止され、力がフイルム材料に加えられて、材料の栓を、マスクを通して、セルの第１のサブセット中に押し込む。その後、マスクは、ハニカム構造体の第１の端面との接触から外される。
【００１２】
さらなる実施の形態によれば、ハニカム構造体のセルのサブセットを閉塞するための装置であって、第１のクランプ部分および第１のクランプ部分と対向した第２のクランプ部分を有するクランプアセンブリであって、それらのクランプ部分が協働してハニカム構造体の第１の端面に付着したマスクの外縁およびマスクの外縁に隣接したフイルムの外縁を締め付け、マスクおよびフイルムが、それらの間に形成されたチャンバ内に収容される閉塞材料を有するものであるクランプアセンブリ、およびフイルムと協働し、閉塞材料をマスクに通しセルのサブセット中に押し入れるように適用されるピストンを備えた装置が提供される。
【００１３】
さらに別の実施の形態によれば、端面にマスクが付着したハニカム構造体を閉塞する方法であって、ハニカム構造体を閉塞材料のチャンバに隣接して向け、閉塞材料の少なくともある程度をマスクに通してハニカム構造体に移送し、チャンバに隣接した閉塞材料を切断する各工程を有してなる方法が開示されている。
【００１４】
本発明のさらに別の実施の形態は、ハニカム構造体を閉塞するための装置であって、ある体積の閉塞材料、および閉塞材料を切断するように位置付けられた切断部材を備えた装置である。切断材料がワイヤであることが好ましい。
【００１５】
本発明のさらに他の実施の形態は、ハニカム構造体の端面に付着したマスクを通してハニカム構造体を閉塞するための装置であって、ある体積の閉塞材料、第１のクランプ部分、および第１のクランプ部分と協働して、ハニカム構造体の外縁から半径方向外側に延在するマスクの外側部分を開放可能に締め付ける第２のクランプ部分を備えた装置に関する。
【００１６】
さらなる実施の形態によれば、ハニカム構造体を閉塞する方法であって、マスクが、ハニカム構造体の外縁を超えて半径方向に延在する外側部分を有するように、ハニカム構造体の第１の端面にマスクを付着させ、ある体積の閉塞材料を提供し、第１のクランプ部分と第２のクランプ部分との間にマスクの外側部分の少なくとも一部分を締め付け、閉塞材料の少なくとも一部をハニカム構造体中に移送する各工程を有してなる方法が提供される。
【００１７】
本発明の方法および装置は、既存のセメント組成物およびレオロジーを用いてもよく、レーザで切断されたポリマーマスクに使用するのに適合している。本発明の方法および装置は、栓の長さのばらつきを減少し、栓の詰め損ないを最小にし、閉塞材料が施されるセルチャンネルから閉塞材料が溢れるのをなくすことが有利である。ここに記載された方法および装置は、非常に繰り返し性と精度が高く、容易に施され、ハニカム構造体の意図しない変形を減少し、提案された使用のために特にうまく適合している。
【００１８】
本発明のこれらと他の利点は、以下に記載された明細書、特許請求の範囲および添付の図面を参照することによって、当業者によりさらに理解され、分かるであろう。
【発明を実施するための最良の形態】
【００１９】
ここに説明の目的として、「上側」、「下側」、「右側」、「左側」、「後方」、「前方」、「垂直」、「水平」、およびその派生形は、図１および４において方向付けられたような本発明に関するものとする。しかしながら、本発明では、それと反対に特に指定されていない限り、様々な代わりの方向付けおよび工程の順序が想定されることが理解されよう。また、添付の図面に示され、以下の明細書に記載された特定のデバイスおよびプロセスは、添付の特許請求の範囲に定義された本発明の概念の例示の実施の形態であることも理解されよう。それゆえ、ここに開示された実施の形態に関する特定の寸法および他の物理的特徴は、請求項に特に述べられていない限り、制限と見なされるべきではない。
【００２０】
フィルタ体１０などの固体粒子状物質フィルタ体、および他の用途のためのハニカム構造体は、セラミック、ガラスセラミック、ガラス、金属を含む様々な材料から、選択された材料による様々な方法によって、形成されてよい。固体粒子状物質濾過用途のための必ず均一に形成された薄い多孔質の相互に接続された壁を持つハニカム構造体は、心出しを行うために焼成された後に多孔質の心出し材料を生成する、可塑変形性かつ焼結性の細粒の物質から製造されることが好ましい。適切な材料としては、金属、セラミック、ガラスセラミック、および他のセラミックベースの混合物が挙げられる。固体粒子状物質濾過用途において好ましい押出コージエライト材料からそのようなセラミックハニカムモノリスを形成する方法が、本出願の譲受人に共に譲渡された米国特許第５２５８１５０号明細書に記載され、クレームされている。
【００２１】
本発明の実施の形態によれば、図４に示されているように、第１の端面１８または第２の端面２０のいずれかがマスク２８により被覆され、ここで、被覆工程は、それぞれ本出願の譲受人に共に譲渡され、引用によりその全てが包含される、特許文献４および米国特許第６６７３３００号明細書に記載されたプロセスによりマスク２８を形成する工程を含む。図示された実例において、第１の端面１８は、熱可塑性材料、好ましくはポリエステルまたはＰＥＴ材料から形成された、接着剤付きの粘着性の薄い透明または半透明フイルムを含むマスク２８により被覆されている。しかしながら、ポリエチレン、ポリプロピレン、またはポリウレタンなどの他の材料を用いてもよい。先に挙げられた文献に記載されているように、光学像分析器により制御された開口部形成手段（例えば、レーザ）によって、セルチャンネル２２の選択された第２のサブセット２６に対応する開口部がマスクに開けられている。
【００２２】
例示のマスク２８は、外面３４と内面３６との間に延在する開口部３０を備えた、外面３４と反対の内面３６を持つ中央本体３２を含む。開口部３０は、閉塞材料を装填すべきセルチャンネル２２の第２のサブセット２６の端部と一致するように、本体３２内に位置している。開口部３０は、セルチャンネル２２の第２のサブセット２６の開放端を露出するような適切なサイズであるが、セルチャンネル２２の隣接する第１のサブセット２４を露出するほどは大きくないことが好ましい。所望であれば、いくつかの隣接するセルチャンネル２２を露出するように、より大きな開口部を設けても差し支えないことも留意すべきである。マスク２８は、第１の端面１８の外縁１６から外側に半径方向に延在する外縁３８および外周部４０を含む。
【００２３】
マスク２８の本体３２は、マスク２８を適所に保持するために、ハニカム構造体１０の壁１４の交差するマトリクスに付着している。マスクは、アクリル系接着剤または任意の同様な接着剤物質によって接着することができる。その接着剤は、ある実施の形態においては、構造体１０にこのマスクを配置する前に、マスク２８に塗布される。
【００２４】
次の工程は、セルチャンネル２２の選択されたサブセット内に栓を形成する工程を含む。図５に示されたある実施の形態において、ＰＥＴからなることが好ましい薄いフイルム材料４２が、メチルセルロースなどの水性結合剤、可塑剤および水を含むセラミック原料を含むことが好ましい閉塞材料４４の栓、例えば、平らなパテにより被覆される。フイルム材料４２は、以下に説明するように、それぞれ、構造体１０の外縁１６から外側に延在する、外周部４６および外縁４８を含む。図示されているように、閉塞材料４４は、フイルム材料４２の外周部４６に閉塞材料４４がないように、フイルム材料４２に関して位置付けられている。図示された実例において、閉塞材料４４は、均一な厚さの平らなパテの形態で設けられているが、様々な厚さを用いてもよい。
【００２５】
閉塞材料４４をその上に有するフイルム材料４２は、図６および７に示されるように、第１のクランプ部分５２および第２のクランプ部分５４を有するクランプアセンブリ５１により囲まれた、平面状であることが好ましいピストン５０を含むサーボ駆動式ピストンに基づく閉塞装置上に位置している。ピストン５０は、閉塞されているハニカム構造体に対応するような形状であり、おおよそその構造体に匹敵するサイズのものである。クランプアセンブリ５１の第１と第２のクランプ部分５２，５４を用いて、マスク２８の外周部４０をフイルム材料４２の外周部４６で封止する。矢印６０により示されたようなある方向の力がピストン５０によってフイルム材料４２に印加され、それによって、閉塞材料４４をマスク２８の開口部３０に押し通し、ハニカム構造体１０のセルチャンネル２２のサブセット２６を装填し（図７）複数の栓６２を形成する。
【００２６】
図７に最もよく示されているある実例において、過剰の閉塞材料４４は、矢印６４により示された方向に、ハニカム構造体１０の第１の端面１８に亘り側方に移動せしめられ、マスク２８の外周部４０およびフイルム材料４２の外周部４６により画成され、クランプアセンブリ５１およびピストン５０の間に位置するようなポケット６６内に保持され、それによって、過剰な閉塞材料がハニカム構造体１０の外壁１５に沿って広がるのを防ぐ。次いで、このピストン５０は、ハニカム構造体１０の第１の端面１８から引っ込められ、マスク２８およびフイルム材料４２がハニカム構造体の端部から取り外される。次いで、ハニカム構造体１０を、関連する閉塞装置内から取り出してもよい。ハニカム構造体１０は、垂直および水平を含む、閉塞プロセス中の任意の方向に位置付けられてもよいことに留意すべきであり、第２の端面２０に位置するセルチャンネル２２の第２のサブセット２６をセルチャンネル２２の第１のサブセット２４と同時に閉塞し、それによって、閉塞プロセスの全体のサイクル時間を著しく減少させてもよいことに留意すべきである。
【００２７】
本発明の方法は、既存のセメント組成物およびレオロジーを用いてもよく、レーザで切断されたポリマーマスクに使用するのに適合しており、栓の長さのばらつきを減少し、栓の詰め損ないを最小にし、閉塞材料が施されるセルチャンネルから閉塞材料が溢れるのをなくす。本発明の方法は、繰り返し性と精度が非常に高く、容易に施され、ハニカム構造体の意図しない変形を減少し、提案された使用のために特にうまく適合している。
【００２８】
本発明のさらに別の実施の形態を、図８〜１９を参照して説明する。図８に示されている、ハニカム構造体１０を閉塞するための装置８０を説明する。装置８０は、その第１の端面１８に付着した透明または半透明のマスク２８を有するそのような構造体１０の高速閉塞に有用である。さらに、基体１０は、第２の端面２０に別のマスク（図示せず）を有していても差し支えない。装置８０は、ある体積の閉塞材料４４、第１のクランプ部分５２および第２のクランプ部分５４を含む。両方のクランプ部分５２，５４は協働して、マスク２８の外周部４０を開放可能に締め付ける。
【００２９】
マスク２８の外周部４０は、ハニカム構造体１０の外縁１６から外方に半径方向に延在している。マスク２８の一部分が、構造体１０に配置され（付着され）ている間に外縁１６を超えて半径方向に延在しているときに、マスク２８は、外縁１６から外方に半径方向に延在している。ある実施の形態において、マスク２８は、構造体１０の外縁１６を約１インチ（２．５４ｃｍ）超えて延在しているが、外周部４０を確実に締め付けるのに十分な任意の距離だけ延在して差し支えない。
【００３０】
装置８０内では、ある体積の閉塞材料４４が閉塞準備チャンバ８４内に収容されている。閉塞準備チャンバ８４は、構造体１０の第１の端面１８の形状にほぼ似ている形状、例えば、円形または楕円形を有している。閉塞準備チャンバ８４はある体積の閉塞材料４４を収容しており、少なくともその一部は、構造体１０内に栓６２を形成するために提供される（図１１参照）。ある実施の形態において、閉塞準備チャンバ８４は、閉塞材料４４のパテを形成するようなサイズである。閉塞準備チャンバ８４内の閉塞材料４４のパテは、閉塞材料４４の圧縮性の影響を最小にするために厚さが実質的に均一である。このことは、構造体１０内に均一な深さの栓６２を形成するのに役立つ。
【００３１】
例示の実施の形態において、閉塞準備チャンバ８４は、約１／２インチ（１．２７ｃｍ）の深さを有する。あるいは、閉塞準備チャンバ８４は、全断面積が充填されるのに十分な閉塞材料４４を確実に流動させるのに十分に大きい任意の深さを有していて差し支えない。また、閉塞準備チャンバ８４は、構造体１０が水平の向きで閉塞される場合、閉塞材料４４のスランプ(slumping)の発生を最小にするのに十分に小さいべきである。スランプは、閉塞材料４４の液体の性質のために生じる。この装置が、新しい構造体１０を装填している間に開いているときに、閉塞材料４４を閉塞準備チャンバ８４内に保持するものは何もない。したがって、十分な時間があると、閉塞材料４４は、閉塞準備チャンバ８４から流れ出し始め、閉塞準備チャンバ８４内の閉塞材料４４の表面８６にスランプが生じる。それゆえ、閉塞すべき次の構造体のマスク２８を、先に閉塞した構造体を取り出した後直ちに、クランプ部分５２，５４の間に迅速に封止すべきであることが明らかであろう。
【００３２】
貯蔵部４５が、閉塞準備チャンバ８４と接続されていることが好ましく、これもまた閉塞材料４４を収容している。動作において、ピストン５０により貯蔵部４５内の材料４４が流動制御部材７４内のアライメントされた通路７５（図１１参照）を通過させられる。ピストン５０の動きによって、閉塞材料４４が閉塞準備チャンバ８４を補充するように移動させられる。閉塞準備チャンバ８４中に押し入れられた閉塞材料４４は、それに付随して、ほぼ同じ量の閉塞材料４４を閉塞準備チャンバ８４から押し出して、構造体１０の選択されたチャンネルを所望の栓の深さだけ充填する。ピストン５０は、例えば、ピストン５０と可動性フレーム９４との間に取り付けられた作動装置５７によって、矢印８１の方向に動く。
【００３３】
貯蔵部４５と閉塞準備チャンバ８４との間の閉塞材料４４の流動は、流動制御部材７４の通路７５ａ，７５ｂの整合とずれにより制御される。ある実施の形態において、流動制御部材は、可動性シャッタープレートなどの可動性部材７６、および静止部材７１、好ましくは閉塞準備チャンバ８４の壁を備えている。流動制御部材７４を通って流動するためには、可動性部材７６は、第１の位置に動かされ（図１１）、ここで、複数の開口部７５ａが、閉塞準備チャンバ８４の壁に形成された同数の開口部７５ｂと実質的に整合される。
【００３４】
ここで、図１８を参照すると、ある例示の実施の形態において、可動性部材７６と静止部材７１内に形成された開口部７５ａ，７５ｂは円形であるのが示されている。開口部７５ａ，７５ｂは、約５／１６インチ（０．７９ｃｍ）の等間隔「ａ」だけ離れていることが好ましく、約１／４インチ（０．６４ｃｍ）の直径「ｂ」を有する。あるいは、開口部７５ａ，７５ｂは、閉塞材料４４がそこを通って流動できるが、それでもまだ、ずらされたときに、材料４４の流動を十分に止めることができる、任意のサイズ、形状または空間的に近接しているものであって差し支えない。ある好ましい実施の形態において、可動性部材７６および静止部材７１の開口部７５ａ，７５ｂは、それらの部材の可能な表面の約２５パーセントを覆う。ここで、１００パーセントの被覆は、閉塞中に閉塞材料４４の全てが全く遮断されていないことに等しい。ある実施の形態において、可動性部材７６の開口部７５ａは、静止部材７１の開口部と実質的に同じであり、閉塞材料４４が貯蔵部４５から閉塞準備チャンバ８４へ滑らかに移行できる。
【００３５】
閉塞材料４４の閉塞準備チャンバ８４への移行を停止するために、可動性部材７６が第２の位置に動かされ、ここで、可動性部材７６の開口部７５ａと静止部材７１の開口部７５ｂがずらされている（図８参照）。可動性部材７６は、矢印７３の方向に直線的に摺動可能であり（図１１）、作動装置７７の助けにより動く。ある実施の形態において、可動性部材７６は、０．５インチ（１．２７ｃｍ）未満、好ましくは１／４インチ（０．６３ｃｍ）動き、停止を完了するのに１秒未満しかかからない。可動性部材７６と静止部材７１との間で複数の開口部７５ａ，７５ｂをずらした後、貯蔵部に閉塞材料４４を補充することができる。
【００３６】
動作において、流動制御部材７４が開かれ、次いで、ピストン５０が構造体１０に向かって動く。ピストン５０が一旦、閉塞材料４４を構造体１０中に押し入れ始めたら、ピストン５０は、栓６２が所望の深さに到達するまで停止しない。これは、均一な深さの栓６２を形成するのに役立つ。
【００３７】
ピストン５０が一旦、閉塞材料４４の所望の部分を構造体１０内の所望の深さまで押し入れたら、ピストン５０は停止し、わずかに引っ込められて、閉塞プロセスにより蓄積した圧力を解放させる。ピストン５０は、閉塞材料４４によるピストン５０に対する力を測定するセンサ（図示せず）を有している。ピストン５０に対する閉塞材料４４の力が一旦、ゼロ以下に到達したら、ピストン５０は停止される。この時点で、圧力が解放され、可動性部材７６は、貯蔵部４５と閉塞準備チャンバ８４との間で開口部７５ａ，７５ｂを閉じる（ずらす）ように作動させられる。可動性部材７６が一旦、開口部を閉じたら、ハニカム構造体１０は、最初に閉塞準備チャンバ８４を分離し、それに隣接する閉塞材料４４を切断することによって、閉塞準備チャンバ８４から取り外すことができる。流動制御部材７４が一旦閉じられたら、貯蔵部４５に閉塞材料４４を補充することができる。貯蔵部４５を補充するために、閉塞材料４４の加圧供給源４７（図８）が貯蔵部４５に連結されている。ピストン５０が引っ込められているときに、バルブが開かれて、閉塞材料４４が貯蔵部４５中に流入できる。
【００３８】
閉塞材料４４のハニカム構造体１０中への貫入深さ（すなわち、栓６２の長さ）は多くの変数により制御される。そのような制御の１つは、作動装置５７の速度と、それにより生じた圧力および流量である。ある実施の形態において、構造体１０中への閉塞材料４４の均一な流れを得るために、ピストン５０は２ｍｍ／秒未満の速度で動かされ、閉塞材料４４に約１００および７５０ｐｓｉ（約６９０ｋＰａおよび５．２ＭＰａ）の間の圧力が生じる。栓の深さのさらに別の制御は、閉塞材料４４の粘度を制御することによって行ってもよい。閉塞材料４４の粘度は、構造体を水平に閉塞するときに、スランプの発生を制御することに限られる。
【００３９】
ここで図１１を参照すると、好ましい実施において、第１のクランプ部分５２は、閉塞準備チャンバ８４の周りに位置し、その外周部を取り囲む第１の表面５３を有している。同様に、第２のクランプ部分５４は第２の表面５５を有しており、この第２の表面５５は、第１の表面５３とほぼ向かい合って、それに対して平行であることが好ましい。ある実施の形態において、第２のクランプ部分５４は、マスク２８を締め付けている間のシールを改善するために変形されられるエラストマーまたはポリマー材料、好ましくはポリウレタンの従順(compliant)面９６を有する。マスクを締め付けるために、第１の表面５３は、マスク２８の外周部４０と接触させられる。第２の表面５５も同様に、マスク２８の外周部４０と接触させられる。それらの表面は、閉塞材料４４の移行工程中に、材料が構造体１０の側面に漏れたり、表面５３とマスク２８との間から漏れたりするのが防がれるように、閉塞準備チャンバ８４を封止するのに十分な力で、マスク２８を圧縮する。もちろん、第１と第２の表面５３，５５は、平面または平行である必要はなく、封止を達成する任意の構成を用いてよい。
【００４０】
図９〜１０に示されているようなある実施の形態において、第２のクランプ部分５４は、構造体１０の外周を実質的に取り囲むリングを備えている。第２のクランプ部分５４の内周は、ハニカム構造体１０の外縁１６よりも半径方向に大きいことが好ましい。第２のクランプ部分５４の内周と、構造体１０の外縁１６との間に形成された間隙８３は、構造体１０の外縁１６の近くの栓６２の貫入深さを制御するために制御できる。間隙８３が大きいと、外縁１６の近くの栓６２は短くなり、間隙８３が小さいと、栓６２が長くなる。したがって、ある実例において、間隙８３は、外縁１６近くの栓６２は他の栓６２と実質的に同じ深さであり、構造体全体に亘って栓の深さが均一になるように設定される。ある実例において、間隙８３は、０．１インチ（２．５４ｍｍ）と０．５インチ（１２．７ｍｍ）の間であり、約０．２５インチ（６．４ｍｍ）であることが好ましい。
【００４１】
図９および１０に示されているように、第２のクランプ部分５４は、構造体１０を中に配置することのできるある様式で分離できるツーピースを含むことが好ましい。ある実例において、第２のクランプ部分５４は、ヒンジ９２を使用して開く。別の実例において、第２のクランプ部分５４は、クレビスにおけるように、反対の直線方向に２つの部品を摺動させることにより開く。動作において、部分５４が開かれ、その端面１８にマスク２８が付着した構造体１０をその中に挿入する。
【００４２】
さらに、構造体１０を閉塞する前に、位置決め装置９０によって、構造体１０を、垂直方向と横方向に、ある体積の閉塞材料４４に対して位置決めしなければならない。位置決め装置９０は、伸びたり引っ込んだりする（図８において紙面の奥へと手前に）可動性フレーム７２上にある。あるいは、位置決め装置９０は、静止位置に予めセットされ、よって、ハニカム構造体１０を位置決め装置９０上に配置することができ、次いで閉塞のために正確な位置に置かれてもよい。
【００４３】
ここで図１７を参照する。位置決め装置９０は、移動と閉塞の最中に構造体１０を固定するための位置締めクランプ９１を備えることが好ましい。位置決めクランプ９１は、矢印９９の方向に上下に動いて、構造体１０を解放したり固定したりする。ある実施の形態において、位置決めクランプ９１は、構造体１０に対する衝撃を吸収しそれを把持するためのエラストマーまたはポリマー材料の従順面９６を備え、構造体１０の形状とほぼ同じ外形をしている。位置決め装置９０は、ある実施の形態において、支持フレーム７２に取り付けられたローラ９２を備え、楕円形の構造体１０が重力を用いて回転により中央に置かれることができる。別の実施の形態において、位置決め装置９０は、円形の構造体１０を保持するためのＶ字形把持具を備えている。
【００４４】
動作において、位置決めクランプ９１を備えた位置決め装置９０が伸び、位置決めクランプ９１がハニカム構造体１０から引っ込められ（図１７参照）て、ハニカム構造体１０を位置決め装置９０上に配置することができる。作動装置または他の適切な手段を用いて、位置決め装置９０および位置決めクランプ９１を移動させてもよい。構造体１０が一旦位置決め装置９０上に配置されたら、位置決めクランプ９１が閉じられて、位置決め装置９０の移動中に構造体１０を固定する。次いで、位置決め装置９０は、構造体１０の第１の端面１８が閉塞準備チャンバ８４と軸方向にアライメントされるように、ハニカム構造体１０を閉塞準備チャンバ８４に対して方向付ける。あるいは、手作業によるものを含む、構造体１０をある体積の閉塞材料４４に対して位置決めする任意の適切な方法を実施しても差し支えない。位置決め装置９０による構造体１０の移動中、第２のクランプ部分５４を開いて、構造体１０を受け入れる。構造体１０が閉塞準備チャンバと一旦アライメントされたら、クランプ部分５４が構造体１０の周りで閉じられる。
【００４５】
再度図８を参照する。閉塞プロセス中のハニカム構造体１０の動きを制限するために、装置８０はさらに補助部材８８を備えており、この部材は引っ込み可能であることが好ましい。構造体１０は、支持されていないと、閉塞中に遭遇する高圧のために、動いてしまう。補助部材８８は、第２の端面２０に対する衝撃を吸収するエラストマーまたはポリマー材料の従順面８５を含むことによって、また第２の端面２０に亘り均一な圧力を与えることによって、構造体１０を保護する。作動装置９３または他の適切な手段を用いて、補助部材８８の位置を矢印９５に沿って移動させ、引っ込めてもよい。作動装置９３は、補助部材８８を装置８０の第１のフレーム７０に対して動かし、それによって、構造体１０が閉塞されているときに、その部材を位置決めして、構造体１０の第２の端面２０（マスク２８が付着されていてもよい）に接触させる。
【００４６】
装置８０は、矢印９７の方向に動く可動性フレーム９４も備えていてもよい。可動性フレーム９４は、閉塞準備チャンバ８４、貯蔵部４５、流動制御部材７４およびピストン５０を保持する。構造体１０と係合するために、可動性フレーム９４は、閉塞準備チャンバ８４を動かして、ハニカム構造体１０のマスク２８と接触させる。次いで、フレーム９４は、マスクの外周部４０が図１１に示されるように第１の表面５３と第２の表面５５との間に締め付けられるように、構造体１０およびマスク２８を押す。締め付け中、マスク２８の外周部４０の少なくとも一部分は、マスク２８の内面３６の接着剤のために、第２のクランプ部分５４の第２の表面に付着する。マスク２８が一旦締め付けられたら、そのマスクは第１のクランプ部分５２の表面５３に対して封止され、それによって、閉塞準備チャンバ８４を封止し、図１１に示されるように栓６２を形成するために、閉塞材料４４のマスクの開口部３０を通した移動のためのアセンブリの準備ができる。動作において、構造体１０がマスク２８を締め付けるために押し戻されたときに、構造体１０の第２の端面２０も補助部材８８と接触する。さらに、位置決めクランプ９１を開いて、構造体１０を位置決め装置９０上で摺動させてもよい。構造体１０が一旦閉塞位置に入ったら、位置決めクランプ９１を動かして構造体１０を再度固定する。
【００４７】
図１２に示されるように、本発明のさらに別の実施の形態によれば、ハニカム構造体１０を閉塞する方法は、ハニカム構造体１０の第１の端面１８にマスク２８を付着させ、ある体積の閉塞材料４４を提供し、マスク２８の外周部４０を締め付け、閉塞材料４４の一部分をハニカム構造体１０中に移行させる各工程を有してなる。
【００４８】
本発明の別の態様によれば、図１６に示されるように、ハニカム構造体１０を閉塞する方法が提供される。本発明の方法は、ハニカム構造体１０を閉塞材料４４の閉塞準備チャンバ８４に隣接して方向付け、閉塞材料４４の少なくともある程度をハニカム構造体１０中に移行させ、閉塞材料４４を切断して、閉塞準備チャンバ８４内の閉塞材料４４上に実質的に平らな表面を形成する各工程を有してなる。ある実施の形態において、閉塞材料４４を構造体中に移行させる工程を、図８に示されているように、水平に向けられたハニカム構造体１０に行う。
【００４９】
移行工程が一旦行われ、可動性部材７６が貯蔵部４５を閉じた後、閉塞準備チャンバ８４がマスク２８およびハニカム構造体１０から分離され、それによって、図１４に示されるような間隙８９が形成される。可動性フレーム９４は、作動装置７８によりフレーム７０に対して動くことによって、分離を行う。分離の工程により、後の切断工程のために閉塞材料の準備ができる。本発明の実施の形態によれば、分離、すなわち、間隙８９は、切断工程中に１／４インチ（６．４ｍｍ）以下であり、約３ｍｍであることが好ましい。
【００５０】
分離工程が完了した後、マスク２８の外面３４に隣接して方向付けられている切断部材９８、好ましくはワイヤーが作動され、閉塞材料４４を通して動かされてそれを切断する。あるいは、切断部材９８は、ナイフまたは閉塞準備チャンバ８４内の閉塞材料４４に実質的に平らな表面を形成するのに適した任意の他の形状として形成されていても差し支えない。切断部材９８は、２つの搭載ブロック８７の間に移動可能に取り付けられていることが好ましく（図１３）、各ブロックはそれぞれの作動装置７９によって動かされる。あるいは、切断部材９８は、手作業によるものを含む、任意の適切な様式で閉塞材料を横切って動かされても差し支えない。
【００５１】
作動装置７９は、搭載ブロック８７を、それゆえ、ワイヤ９８を矢印８２の方向に動かし、そのワイヤを閉塞材料４４を実質的に完全に通して、好ましくは頂部から底部まで、通過させる。切断部材９８は、閉塞材料４４のチャンバ、好ましくは閉塞準備チャンバに隣接して動かされるが、閉塞および閉塞材料の収容のために使用できる任意のチャンバでもよい。切断部材９８が第１の表面５３に近接し、マスク２８に隣接して切断を行うことが好ましい。ある実例において、切断部材９８は、切断中に第１の表面５３に接触し、それによって、第１の表面５３と同じ平面にある閉塞材料４４の表面８６を確実に形成する。次いで、表面８６は、ハニカム構造体１０の別の端部に、またはそうでなければ閉塞すべき次の構造体に直接移送される準備ができている。切断工程は、０．７５ｍｍ／秒と５ｍｍ／秒の間で行われることが好ましい。ある実施の形態において、切断部材９８は、直径が約０．０３２インチ（約０．８１ｍｍ）であり、硬化ステンレス鋼ミュージック・ワイヤ、または閉塞材料４４を通る移動に耐えられる適切な引張強度を持つ他の材料から製造されている。切断部材９８が閉塞材料４４を通過した後、切断部材９８が定位置に戻るように引っ込められたときに（図１３）、部材９８が表面８６と接触しないように、その部材は、形成された表面８６から離して動かされる。切断されている際に、閉塞された構造体１０は、クランプ９１を引っ込め、第２のクランプ部分５４を開き、補助部材８８を引っ込めることによって、位置決め装置９０から取り外してもよい。
【００５２】
切断工程により、閉塞準備チャンバ８４内の閉塞材料４４の残りの部分に、平面、すなわち、実質的に平らな表面８６が形成される。これにより、閉塞準備チャンバ８４は、次の構造体の閉塞動作の準備ができている。「実質的に平ら」という用語は、表面８６に亘り平均からの変動が、切断の直後に２ｍｍ以下、より好ましくは１ｍｍ未満しかばらつかないことを意味する。さらに、切断工程により、マスク２８の外面３４上に閉塞材料４４が０．２５インチ（６．４ｍｍ）未満の厚さ「ｔ」しか残らない。
【００５３】
各切断の通過後、切断部材９８を洗浄することが好ましい。洗浄プロセスは、ある実例において、図１３および１５に示されているように、流体５６を含む容器５９中に切断部材９８を通過させ、切断部材９８を洗浄することによって行われる。流体５６は、水または閉塞材料４４を洗い流すまたは溶解させる任意の他の溶剤であることが好ましい。必要に応じて、洗浄工程は、切断部材９８を流体の高圧流に施す様式で、流体の強制撹拌または容器５９中への流動を含む。あるいは、洗浄工程は、図１９に示したようなスクレーパ１００などの洗浄部材を用いて行ってもよい。スクレーパ１００は、矢印１０１の方向に動かすことによって、切断部材９８の周りに締め付けられる。次いで、スクレーパ１００を切断部材９８の長手方向に沿って動かし、それによって、部材９８から任意の閉塞材料４４をすくい取る。切断部材９８の搭載ブロック８７（図１３）に到達した際に、閉塞材料４４を、スクレーパ１００および切断部材９８から、吹き落とし、または他の様式で落としてもよい。
【００５４】
これまでの説明において、ここに開示した概念から逸脱せずに、ハニカム構造体を閉塞するための方法および装置に改変を行ってもよいことが当業者には容易に認識されよう。そのような改変は、特許請求の範囲に別記されていない限り、その範囲に含まれるものと考えられるべきである。したがって、本発明の範囲は、特許請求の範囲に関して考えられるべきであり、明細書および図面に示され、説明された構造体および動作の詳細に制限されるものではないと理解されるであろう。
【図面の簡単な説明】
【００５５】
【図１】複数の開放端セルチャンネルを有する第１の端部を含む押出フィルタ体の斜視図
【図２】セルチャンネルの第１のサブセットが閉塞され、セルチャンネルの第２のサブセットが開放端となっている、押出フィルタ体の斜視図
【図３】セルの第１のサブセットが開放端となっており、セルの第２のサブセットが閉塞されている、第２の端部を含むフィルタ体の側面図
【図４】切断されたマスクにより被覆された押出フィルタ体の第１の端部の斜視図
【図５】マスクにより被覆された押出フィルタ体、およびフイルムで被覆されたピストンアセンブリ上に位置する、薄膜材料およぴ閉塞材料のパテにより被覆された閉塞装置のピストンの断面図
【図６】マスクの周辺縁が薄膜の周辺縁により封止されている、押出フィルタ体の断面図
【図７】閉塞材料がフィルタ体の選択されたセルチャンネル内に位置している、押出フィルタ体の断面図
【図８】本発明による装置の実施の形態の断面側面図
【図９】本発明のさらに別の態様によるクランプ部分の実施の形態の部分正面図
【図１０】本発明のさらに別の態様によるクランプ部分の実施の形態の部分正面図
【図１１】本発明のさらに別の態様による可動性流動制御部材の実施の形態の断面部分側面図
【図１２】本発明の方法による各工程を示す流れ図
【図１３】本発明のさらに別の態様による切断装置の実施の形態の断面正面図
【図１４】本発明のある態様による切断動作を示す切断装置の実施の形態の部分断面側面図
【図１５】本発明のある態様による切断動作を示す切断装置の実施の形態の部分断面側面図
【図１６】例示の実施の形態の方法による各工程を示す流れ図
【図１７】例示の実施の形態による位置決め装置の断面正面図
【図１８】例示の実施の形態による可動性流動制御部材の正面図
【図１９】例示の実施の形態による洗浄部材の側面図
【符号の説明】
【００５６】
１０    ハニカム構造体
１４    多孔質壁
１５    外壁
２８    マスク
３０    開口部
４２    フイルム材料
４４    閉塞材料
５０    ピストン
６２    栓
７４    流動制御部材
８０    装置
８４    閉塞準備チャンバ
９０    位置決め装置
【図１】
2008524039.tif 000003
【図２】
2008524039.tif 000004
【図３】
2008524039.tif 000005
【図４】
2008524039.tif 000006
【図５】
2008524039.tif 000007
【図６】
2008524039.tif 000008
【図７】
2008524039.tif 000009
【図８】
2008524039.tif 000010
【図９】
2008524039.tif 000011
【図１０】
2008524039.tif 000012
【図１１】
2008524039.tif 000013
【図１２】
2008524039.tif 000014
【図１３】
2008524039.tif 000015
【図１４】
2008524039.tif 000016
【図１５】
2008524039.tif 000017
【図１６】
2008524039.tif 000018
【図１７】
2008524039.tif 000019
【図１８】
2008524039.tif 000020
【図１９】
2008524039.tif 000021
【国際調査報告】
2008524039.tif 000022
2008524039.tif 000023
2008524039.tif 000024